(57)【要約】【課題】  大容量記憶媒体に非常に多数の番組コンテンツが保存されている場合でも所望する番組コンテンツを効率良く検索できるとともに、視聴者が番組コンテンツを選択する際に他の視聴者による評価を参考にできるＥＣＧ機能を有するサーバ型放送受信記録装置を提供する。【解決手段】  サーバ型放送受信記録装置において、電子コンテンツ案内を利用して番組コンテンツを提示する際に、番組提供者側に設置されるサーバ型放送送信装置から提供された評価結果情報（評価結果コンテンツ）を、番組コンテンツに対応させて表示するようにした。また、視聴者が評価した番組コンテンツの評価情報を番組提供者側で集計して、前記評価結果情報を生成するようにした。【選択図】  図４
2007336120.tif 000002
【特許請求の範囲】
【請求項１】
サーバ型放送送信装置から提供されたコンテンツを貯蓄可能な記憶媒体と、
前記記憶媒体への前記コンテンツの書き込み処理、及び、前記記憶媒体からの前記コンテンツの読み出し処理を制御するコンテンツ制御手段と、
前記記憶媒体に蓄積されたコンテンツを提示して、選択されたコンテンツを前記コンテンツ制御手段により読み出させるための第１電子コンテンツ案内を生成して、表示させる電子コンテンツ案内手段と、
所定の制御信号を入力可能な入力手段と、
を備えたサーバ型放送受信記録装置であって、
前記サーバ型放送送信装置から提供されるコンテンツには、放送番組を視聴させるための番組コンテンツと、前記番組コンテンツを評価した評価結果コンテンツと、前記番組コンテンツを視聴者に評価させるための評価コンテンツと、１話完結型又は同一ジャンルの複数の前記番組コンテンツを紹介するためのプロモーション情報を有するプロモーションコンテンツと、が含まれ、
前記プロモーション情報には、前記複数の番組コンテンツ及び前記評価コンテンツのそれぞれに対応して設けられる番組別プロモーション情報と、前記番組別プロモーション情報の表示態様を指定する表示態様情報と、が含まれ、
前記コンテンツ制御手段により前記評価コンテンツを読み出して表示された評価画面において、前記入力手段から所定の入力信号を入力されることに基づいて前記番組コンテンツに対する評価情報を取得し、この取得した評価情報を前記サーバ型放送送信装置に送信する番組コンテンツ評価手段を備え、
前記電子コンテンツ案内手段は、前記表示態様情報に従って複数の前記番組別プロモーション情報に基づく映像を配置させるとともに、前記番組コンテンツ評価手段により送信された評価情報を集計して生成された評価結果情報に基づく評価を前記映像に重畳させた第２電子コンテンツ案内を生成して、表示可能である
ことを特徴とするサーバ型放送受信記録装置。
【請求項２】
サーバ型放送送信装置から提供されたコンテンツを貯蓄可能な記憶媒体と、
前記記憶媒体への前記コンテンツの書き込み処理、及び、前記記憶媒体からの前記コンテンツの読み出し処理を制御するコンテンツ制御手段と、
前記記憶媒体に蓄積されたコンテンツを提示して、選択されたコンテンツを前記コンテンツ制御手段により読み出させるための第１電子コンテンツ案内を生成して、表示させる電子コンテンツ案内手段と、
所定の制御信号を入力可能な入力手段と、
を備えたサーバ型放送受信記録装置であって、
前記サーバ型放送送信装置から提供されるコンテンツには、放送番組を視聴させるための番組コンテンツと、前記番組コンテンツを評価した評価結果コンテンツと、が含まれ、
前記電子コンテンツ案内手段は、前記評価結果コンテンツに含まれる前記番組コンテンツの評価結果情報を、それぞれの番組コンテンツに対応させて表示可能であることを特徴とするサーバ型放送受信記録装置。
【請求項３】
前記サーバ型放送送信装置から提供されるコンテンツには、前記番組コンテンツを視聴者に評価させるための評価コンテンツが含まれ、
前記コンテンツ制御手段により前記評価コンテンツを読み出して表示された評価画面において、前記入力手段から所定の入力信号を入力されることに基づいて前記番組コンテンツに対する評価情報を取得し、この取得した評価情報を前記サーバ型放送送信装置に送信する番組コンテンツ評価手段を備え、
前記評価結果コンテンツは、前記番組コンテンツ評価手段により送信された評価情報を集計して生成されることを特徴とする請求項２に記載のサーバ型放送受信記録装置。
【請求項４】
前記サーバ型放送送信装置から提供されるコンテンツには、複数の前記番組コンテンツを紹介するためのプロモーションコンテンツが含まれ、
前記電子コンテンツ案内手段は、前記プロモーションコンテンツに含まれるプロモーション情報に基づいて、前記複数の番組コンテンツ及び前記評価コンテンツを提示し、選択されたコンテンツを前記コンテンツ制御手段により読み出させるための第２電子コンテンツ案内を生成して、表示可能であることを特徴とする請求項２又は３に記載のサーバ型放送受信記録装置。
【請求項５】
前記プロモーション情報は、前記複数の番組コンテンツ及び前記評価コンテンツのそれぞれに対応して設けられる番組別プロモーション情報と、前記番組別プロモーション情報の表示態様を指定する表示態様情報と、を含み、
前記電子コンテンツ案内手段は、前記表示態様情報に従って複数の前記番組別プロモーション情報に基づく映像を配置して表示させるとともに、前記評価結果情報に基づく評価を前記映像に重畳させて表示させることを特徴とする請求項４に記載のサーバ型放送受信記録装置。
【請求項６】
前記プロモーションコンテンツによって紹介される前記番組コンテンツは、１話完結型の番組コンテンツ又は同一ジャンルの番組コンテンツであることを特徴とする請求項４又は５に記載のサーバ型放送受信記録装置。
【発明の詳細な説明】
【技術分野】
【０００１】
本発明は、ハードディスク等の大容量記憶媒体に複数の番組コンテンツを一旦蓄積してから再生するという視聴形態を実現可能なサーバ型放送受信装置に関し、特に、サーバ型放送受信装置において視聴者に番組コンテンツを提示する電子コンテンツ表に適用して有用な技術に関する。
【背景技術】
【０００２】
近年、ＨＤＤ（ハードディスクドライブ）レコーダのように、大容量のＨＤＤ等を使用することによって、非常に多数の番組コンテンツを保存できるようにした録画機器が提供されている。このような録画機器により、受信した番組コンテンツをいったんＨＤＤに蓄積してから再生するという視聴形態が可能となり、いわゆるサーバ型放送が実現されている。
【０００３】
このサーバ型放送では、番組コンテンツとこれに関する仔細な追加情報（メタデータ）とが大容量記憶媒体に保存されるので、蓄積された番組コンテンツを予め指定した時刻から視聴できるようにしたり、追加情報を利用してシーン検索やダイジェスト視聴を行ったりすることが可能となる。なお、サーバ型放送方式の詳細については、ディジタル放送の規格化団体であるＡＲＩＢ（Association of Radio Industries and Businesses：電波産業会）において規格化されつつある。
【０００４】
このようなサーバ型放送に対応可能な録画再生機器（以下、サーバ型放送受信記録装置と呼ぶ）において、録画した番組コンテンツを再生する場合には、番組コンテンツを示すタイトルやサムネイルなどのリストを提示し、この画面で視聴者に選択された番組コンテンツを再生させる電子コンテンツ案内（以下、ＥＣＧと略する）が一般的に利用される。
【０００５】
一方、放送局或いはスポンサー等が、どの程度の視聴者が番組を視聴したかを表す視聴情報（例えば、視聴率、視聴履歴等）を収集する視聴情報収集システムが提案されている（例えば、特許文献１）。この視聴情報処理システムによれば、放送局やスポンサーは視聴者の番組に対する評価情報を入手することが可能となるので、確実に視聴情報解析と広告効果の確認を行うことができる。
【特許文献１】特開２００３−３３３６２８号公報
【発明の開示】
【発明が解決しようとする課題】
【０００６】
上述したように、近年の記憶媒体の大容量化に伴い、録画機器において保存できる番組コンテンツ数は非常に大きな数になっている。また、サーバ型放送が普及してくると、番組コンテンツが提供される伝送経路は、従来の地上ディジタル放送、ＢＳ放送、ＣＳ放送等の放送電波に限らず、インターネット通信が利用されることも考えられ、視聴者に提供される番組コンテンツはさらに増加するものと考えられる。
【０００７】
このように、録画機器に蓄積された番組コンテンツが相当数におよぶ場合、所望の番組コンテンツを検索すること自体が煩雑な作業になってしまう。また、視聴者に番組コンテンツを提示するときのＥＣＧの表示態様は録画機器に依存するため、録画機器が異なるとＥＣＧの使い勝手が変わってしまうという不具合がある。
【０００８】
また、上記特許文献１に記載の技術は、放送局やスポンサーに対しては視聴者の番組に対する評価情報を入手でき、これをフィードバックすることにより番組や広告の質を向上できるので有効であるが、視聴者に対しては別段有効ではない。
【０００９】
本発明は、大容量記憶媒体に非常に多数の番組コンテンツが保存されている場合でも所望する番組コンテンツを効率良く検索できるとともに、視聴者が番組コンテンツを選択する際に他の視聴者による評価を参考にできるＥＣＧ機能を有するサーバ型放送受信記録装置を提供することを目的とする。
【課題を解決するための手段】
【００１０】
本発明は、上記目的を達成するためになされたもので、サーバ型放送送信装置から提供されたコンテンツを貯蓄可能な記憶媒体と、前記記憶媒体への前記コンテンツの書き込み処理、及び、前記記憶媒体からの前記コンテンツの読み出し処理を制御するコンテンツ制御手段と、前記記憶媒体に蓄積されたコンテンツを提示して、選択されたコンテンツを前記コンテンツ制御手段により読み出させるための第１電子コンテンツ案内を生成して、表示させる電子コンテンツ案内手段と、所定の制御信号を入力可能な入力手段と、を備えたサーバ型放送受信記録装置であって、前記サーバ型放送送信装置から提供されるコンテンツには、放送番組を視聴させるための（放送番組の映像音声情報、番組情報を有する）番組コンテンツと、前記番組コンテンツを評価した（評価結果情報を有する）評価結果コンテンツと、が含まれ、前記電子コンテンツ案内手段は、前記評価結果コンテンツに含まれる前記番組コンテンツの評価結果情報を、それぞれの番組コンテンツに対応させて表示可能であることを特徴とする。
【００１１】
また、前記サーバ型放送送信装置から提供されるコンテンツには、前記番組コンテンツを視聴者に評価させるための（評価取得情報を有する）評価コンテンツが含まれ、前記コンテンツ制御手段により前記評価コンテンツを読み出して表示された評価画面において、前記入力手段から所定の入力信号を入力されることに基づいて前記番組コンテンツに対する評価情報を取得し、この取得した評価情報を前記サーバ型放送送信装置に送信する番組コンテンツ評価手段を備え、前記評価結果コンテンツは、前記番組コンテンツ評価手段により送信された評価情報を集計して生成されるようにした。例えば、評価画面では、設問テーマと、回答選択肢が与えられ、視聴者は回答選択肢の中から該当するものを選択することで番組コンテンツを評価する形態が考えられる。
【００１２】
また、前記サーバ型放送送信装置から提供されるコンテンツには、複数の前記番組コンテンツを紹介するためのプロモーションコンテンツが含まれ、前記電子コンテンツ案内手段は、前記プロモーションコンテンツに含まれるプロモーション情報に基づいて、前記複数の番組コンテンツ及び前記評価コンテンツを提示し、選択されたコンテンツを前記コンテンツ制御手段により読み出させるための第２電子コンテンツ案内を生成して、表示可能であるようにした。つまり、第２電子コンテンツ案内において、評価コンテンツが選択された場合に評価画面が表示され、第２電子コンテンツ案内において提示される番組コンテンツが番組コンテンツ評価手段により評価されることとなる。
【００１３】
具体的には、前記プロモーション情報は、前記複数の番組コンテンツ及び前記評価コンテンツのそれぞれに対応して設けられる番組別プロモーション情報と、前記番組別プロモーション情報の表示態様を指定する表示態様情報と、を含み、前記電子コンテンツ案内手段は、前記表示態様情報に従って複数の前記番組別プロモーション情報に基づく映像を配置して表示させるとともに、前記評価結果情報に基づく評価を前記映像に重畳させて表示させる。これにより、第２電子コンテンツ案内において、番組コンテンツのプロモーション映像及び評価を効果的に表示させることができる。
【００１４】
また、上述した第２電子コンテンツ案内は、前記プロモーションコンテンツによって紹介される前記番組コンテンツが１話完結型の番組コンテンツ又は同一ジャンルの番組コンテンツである場合に特に有効である。つまり、所定の範疇に属する複数の番組コンテンツを提示する第２電子コンテンツ案内において評価が付加されているので、他の番組と比較した相対的な評価を認識することができる。
【発明の効果】
【００１５】
本発明によれば、サーバ型放送受信記録装置において、電子コンテンツ案内において番組コンテンツを提示する際に、番組提供者側に設置されるサーバ型放送送信装置から提供された評価結果情報（評価結果コンテンツ）を、番組コンテンツに対応させて表示するようにしたので、視聴者は番組コンテンツを選択するときにこの評価結果情報を参考にすることができる。例えば、視聴者は一般的に人気の高い番組コンテンツを評価情報により容易に知ることができる。
【００１６】
また、評価コンテンツに基づいて表示される評価画面において、視聴者に番組コンテンツの評価をしてもらい、番組提供者側でその結果（評価情報）を集計して評価結果コンテンツを生成し、提供するようにしたので、信頼性の高い客観的な評価結果情報を提供することができる。
【発明を実施するための最良の形態】
【００１７】
以下、本発明の実施の形態を図面に基づいて説明する。
図１は、本実施形態に係るサーバ型放送受信記録装置１の全体構成を示すブロック図である。
本実施形態のサーバ型放送受信記録装置１は、番組提供者側のサーバ型放送送信装置（図示略）から送出された番組コンテンツ（放送の場合は放送信号）を受信可能なハードディスクレコーダである。
【００１８】
サーバ型放送受信記録装置１は、アンテナ１０により受信した放送信号（地上ディジタル放送、ＢＳ放送、ＣＳ放送等）を選択的に入力するディジタルチューナなどの受信部１１と、受信した放送信号からコンテンツのコンテンツ情報（映像データおよび音声データ等の実データ）と番組情報とを分離する番組情報分離部１２と、録画した番組コンテンツのコンテンツ情報や、番組コンテンツの管理データとしての番組情報などを記録して貯蓄可能な記憶媒体としてのハードディスク１３と、録画時に受信部１１側から送られてくるコンテンツ情報をハードディスク１３に書き込んだり再生時にハードディスク１３からコンテンツ情報を読み出したりするコンテンツ制御部１４と、再生する番組コンテンツのコンテンツ情報をデコードして映像信号と音声信号を生成するデコード部１５と、録画した番組コンテンツの番組情報を管理してハードディスク１３に書き込んだり読み出したりする番組情報管理制御部１６と、該番組情報管理制御部１６から番組コンテンツの管理データを受けて後述するコンテンツ選択画面の表示信号を生成する表示制御部１７と、デコード部１５や表示制御部１７からの表示信号を選択的に出力したり、多重化して出力したりする多重化部１８と、を備えている。
【００１９】
また、このサーバ型放送受信記録装置１には、入力手段としてのリモートコントローラ（以下、リモコンと呼ぶ）２１と、このリモコン２１からの信号を受信するリモコン信号受信部２０が設けられており、リモコン信号受信部２０で受信されたリモコン信号が番組情報管理制御部１６やコンテンツ制御部１４等の各ブロックに入力され、所定の動作制御を行う。リモコン２１には、例えば、メニューボタン、カーソル移動用の方向ボタン、決定ボタンのほか、種々の操作ボタンが設けられている。
【００２０】
さらに、本実施形態のサーバ型放送受信記録装置１は、コンテンツ制御手段１４により後述する評価コンテンツが読み出され、これに基づいて表示された評価画面において、リモコン２１から所定の入力信号が入力されることに基づいて、番組コンテンツに対する評価情報を取得するコンテンツ評価部１９を備えている。コンテンツ評価部１９は、例えば、設問テーマに対する回答を評価情報として取得し、取得した評価情報を電話回線等の通信網を介してサーバ型放送送信装置に送信する。
【００２１】
上述したサーバ型放送受信記録装置１と、番組提供者（例えば、放送局）側に設置されるサーバ型放送送信装置と、でサーバ型放送システムが構成される。
【００２２】
このサーバ型放送システムにおいて、サーバ型放送送信装置は、番組コンテンツを含む種々のコンテンツを生成し、生成したコンテンツをサーバ型放送受信記録装置に送出する。一方、サーバ型放送受信記録装置１では、受信したコンテンツをいったんハードディスク１３に蓄積してから再生するという視聴形態を実現する。
【００２３】
図２は、サーバ型放送送信装置から提供されるコンテンツの具体的な構成を示すデータチャートである。すなわち、サーバ型放送送信装置１から送出されるコンテンツは、実際の放送番組のコンテンツ情報（映像データ、音声データ）１０１ａ，１０２ａ，・・を含む番組コンテンツ１０１，１０２，・・と、複数の番組コンテンツ１０１，１０２，・・を紹介するためのプロモーション情報１０３ａを含むプロモーションコンテンツ１０３と、番組コンテンツ１０１，１０２，・・を評価した評価結果情報１０４ａを含む評価結果コンテンツ１０４と、番組コンテンツ１０１，１０２，・・を視聴者に評価させるための評価取得情報（設問テーマ、回答選択肢）１０５ａを含む評価コンテンツ１０５と、を有する。
【００２４】
番組コンテンツ１０１，１０２，・・は、コンテンツ情報１０１ａ，１０２ａ，・・の他に、番組の各種情報が格納された番組情報１０１ｂ，１０２ｂ，・・を含んでいる。この番組情報には、当該番組コンテンツを提供する放送局を示す放送局情報、番組のタイトル情報、番組の詳細情報（出演者やストーリー紹介など）を示したテキストデータ、番組の放送時間に関するデータなど、種々の情報が格納されている。
【００２５】
プロモーションコンテンツ１０３は、プロモーション情報１０３ａの他に番組情報１０３ｂを含んでいる。また、プロモーション情報１０３ａには、複数の番組コンテンツ１０１，１０２，・・及び評価コンテンツ１０５のそれぞれに対応して設けられる番組別プロモーション情報１，２，・・・，ｎと、番組別プロモーション情報の表示態様を指定する表示態様情報と、が含まれている。
【００２６】
本実施形態では、プロモーションコンテンツ１０３は、１話完結型（例えば、特別番組等）又は同一ジャンルの複数の番組コンテンツ（例えば、１５番組）１０１，１０２，・・を紹介するものとする。すなわち、プロモーションコンテンツ１０３のプロモーション情報１０３ａには、１５の番組コンテンツと１の評価コンテンツに対応する１６の番組別プロモーション情報が含まれることとなる。
【００２７】
評価結果コンテンツ１０４は、番組コンテンツを評価した評価結果情報１０４ａを含んでおり、この評価結果情報１０４ａは、例えば、番組コンテンツのｅｖｅｎｔ＿ｉｄと、設問テーマと、集計結果により構成される。この評価結果情報１０４ａは、電子コンテンツ案内において提示されている番組コンテンツに対応して表示され、視聴者が番組コンテンツを選択する際の指標となる。
【００２８】
評価コンテンツ１０５は、視聴者に番組コンテンツを評価させるための評価取得情報１０５ａを含んでいる。この評価取得情報１０５ａは、例えば、設問データと選択肢データとを含んで構成され、電子コンテンツ案内において評価コンテンツが選択された場合にこの評価取得情報１０５ａが読み出されて、評価画面が表示されることとなる。
【００２９】
サーバ型放送受信記録装置１の番組情報管理制御部１６は、上述した番組情報１０１ｂ，１０２ｂ，１０３ｂをハードディスク１３の所定領域に格納して管理し、必要なとき（例えば、第１電子コンテンツ案内を生成するとき）にそれを読み出す。
【００３０】
また、電子コンテンツ案内手段としての表示制御部１７は、番組情報１０１ｂ，１０２ｂ，１０３ｂに基づいて第１電子コンテンツ案内を生成し表示する。さらに、表示制御部１７は、プロモーションコンテンツ１０３に含まれるプロモーション情報１０３ａを利用して、複数の番組コンテンツ１０１，１０２，・・及び評価コンテンツ１０５の何れかを選択可能な第２電子コンテンツ案内を生成することができる。具体的には、表示制御部１７は、プロモーション情報１０３ａに含まれる表示態様情報を解析可能であり、解析した結果に基づいて番組別プロモーション情報（例えば、プロモーション映像）１，２，・・・，ｎを配置して第２電子コンテンツ案内を生成し表示することができる。
【００３１】
このとき、表示制御部１７は、評価結果情報１０４ａに含まれるｅｖｅｎｔ＿ｉｄに基づいて対応する番組コンテンツを特定し、特定された番組別プロモーション情報に重畳させて評価結果情報に基づく評価を表示させる。
【００３２】
次に、電子コンテンツ案内手段としての表示制御部１７により生成され、表示される第１及び第２の電子コンテンツ案内について説明する。
図３は、番組コンテンツに含まれる番組情報に基づいて生成される第１電子コンテンツ案内の一表示例である。
本実施形態のサーバ型放送受信記録装置１では、リモコン２１のメニューボタンを操作する等、所定操作を行うことにより、図３に示す第１電子コンテンツ案内５０を表示することができる。この第１電子コンテンツ案内５０において、視聴者は例えば再生のために所定の番組コンテンツを検索することができる。
【００３３】
図３に示す第１電子コンテンツ案内５０は、最上部に配置された表示画面のタイトル表示枠５１と、ハードディスク１３に蓄積されている番組コンテンツのリスト表示が行われる画面中央部を占める第１表示枠５３と、この第１表示枠５３の上部に配置され選択された番組コンテンツの詳細情報が表示される第２表示枠５２と、第１表示枠５３に表示されている番組コンテンツの中から所定の番組コンテンツが選択された場合（図３では最上位の番組コンテンツが選択）に選択可能とされる操作ボタン５４ａ〜５４ｅが表示されている第３表示枠５４と、で構成されている。
【００３４】
第１表示枠５３には、横長の複数のリスト枠５３ａ〜５３ｆが縦方向に配列されるとともに、各リスト枠５３ａ〜５３ｆにそれぞれの番組コンテンツの主要情報として、当該番組コンテンツの録画日時情報、番組タイトル情報が表示されている。
【００３５】
また、第１電子コンテンツ案内５０では、番組コンテンツは録画日時の新しい順に配列されている。視聴者は、リモコンの方向ボタンを操作することで、リスト枠５３ａ〜５３ｆの選択を上下に移動させたり、リスト枠５３ａ〜５３ｆのスクロール或いはページ送りを行ったりすることができる。なお、選択されたリスト枠は文字と枠内の色が変ったり反転表示されたりすることで視聴者が認識できるようにされる（図３では反転表示により選択状態を示している）。
【００３６】
この第１電子コンテンツ案内５０は、ハードディスク１３に蓄積されている全ての番組コンテンツを、録画日時の新しい順に配列したものであり、表示される番組コンテンツは膨大な数になる。なお、装置によっては、放送局別、ジャンル別に絞って番組コンテンツを表示できるものもある。
【００３７】
また、本実施形態では、第１電子コンテンツ案内において、実際の放送番組に対応する第１番組コンテンツ５３ｂ〜５３ｆと同様に、これらを含む複数の番組コンテンツを紹介するためのプロモーションコンテンツ５３ａも選択可能に構成されている。図３ではプロモーションコンテンツ５３ａが選択された状態となっている。
【００３８】
この第１電子コンテンツ案内において何れかの番組コンテンツが選択されると、コンテンツ制御部１４によって、選択された番組コンテンツのコンテンツ情報がハードディスク１３から読み出され再生されることとなる。ただし、プロモーションコンテンツが選択された場合は、表示制御部１７によって第２電子コンテンツ案内が生成され、表示されることとなる。
【００３９】
図４は、プロモーションコンテンツ１０３に含まれるプロモーション情報１０３ａに基づいて生成される第２電子コンテンツ案内の一表示例である。本実施形態では、表示制御部１７は、プロモーションコンテンツ１０３に含まれるプロモーション情報（番組別プロモーション情報および表示態様情報）１０３ａを利用して、複数の番組コンテンツ（番具１〜１５）及び評価コンテンツ（番組アンケート）の何れかを選択可能な第２電子コンテンツ案内を生成する。
【００４０】
例えば、図３に示す第１電子コンテンツ案内５０において、プロモーションコンテンツが選択された状態で、決定（再生）ボタンの操作が行われた場合に、第２電子コンテンツ案内６０が生成され、表示される。この第２電子コンテンツ案内６０において、視聴者はより効率的に所望の番組コンテンツを検索することができる。
【００４１】
図４に示す第２電子コンテンツ案内６０は、最上部に配置された表示画面のタイトル表示枠６１と、当該プロモーションコンテンツで紹介される番組コンテンツの内容が表示されるプロモーション枠６２と、で構成されている。さらに、プロモーション枠６２には、紹介される番組コンテンツのそれぞれに対応する番組別プロモーション情報が表示される第１表示枠６２ｂと、カーソルによって選択された番組コンテンツの主要情報（番組タイトル、放送日時、番組説明等）を表示する第２表示枠６２ａと、で構成されている。
【００４２】
本実施形態では、第１表示枠６２ｂは、４×４の１６分割されており、紹介する１６の番組コンテンツ（１の評価コンテンツを含む）に対応する番組別プロモーション情報（例えば、各番組コンテンツのダイジェスト映像）が、区分けされた領域に配置されている。さらに、各番組コンテンツに対応する評価結果情報に基づく評価表示６３が、配置されたダイジェスト映像に重畳されて表示される。
【００４３】
例えば、本実施形態では、★の数と評価コメントにより番組コンテンツに対する評価を行い、番組コンテンツの人気度が分かるようにしている。例えば、図４では、番組１に対応する評価が「★★★ＢｅｓｔＣｏｎｔｅｎｔ」と表示されており、非常に人気が高いことを視聴者は認識できる。
【００４４】
このように、複数の番組コンテンツを一画面で紹介する第２電子コンテンツ案内において番組コンテンツに対応する評価を表示し、一目で各番組コンテンツに対する評価を認識できるようにしているので、視聴する番組コンテンツを選択する際に便利である。
【００４５】
なお、評価結果情報の表示態様は、図４に示すようにテキストの挿入により番組コンテンツを強調させる手法の他、第２電子コンテンツ案内においてデフォルト状態でカーソルを当て番組コンテンツをフォーカスする手法等がある。また、複数の設問テーマ及びその評価結果情報が提供されている場合は、選択された設問テーマに応じて評価表示を変更するようにしてもよい。
【００４６】
ここで、第２電子コンテンツ案内６０の表示態様は、プロモーション情報に含まれる表示態様情報によって指定されている。すなわち、表示制御部１７が表示態様情報を解析することで、画面を分割して番組別プロモーション情報を図４に示すように配置したり、カーソルの大きさを決定したりして、第２電子コンテンツ案内を生成している。
【００４７】
第２電子コンテンツ案内６０では、視聴者はリモコン２１の方向ボタンを操作することで、番組コンテンツ１〜１６を選択するためのカーソルを移動させたり、ページ送りを行ったりすることができる。なお、選択された番組コンテンツは文字と枠内の色が変ったり反転表示されたりする等、表示態様を他の領域と変えることで視聴者が認識できるようにされる（図４では番組７が選択された状態となっている）。
【００４８】
この第２電子コンテンツ案内６０において番組コンテンツが選択されると、コンテンツ制御部１４によって、選択された番組コンテンツのコンテンツ情報（評価コンテンツの場合は評価取得情報）がハードディスク１３から読み出され再生されることとなる。例えば、それぞれの番組別プロモーション情報と、該番組別プロモーション情報に対応する番組コンテンツ又は評価コンテンツを関連付けておくことで、番組別プロモーション情報が選択されたときに、これに関連付けられたコンテンツの情報を読み出し、再生させることが可能となる。
【００４９】
このように、番組提供者から提供されたプロモーションコンテンツに基づいて、サーバ型放送受信記録装置で第２電子コンテンツ案内を生成するようにしているので、サーバ型放送受信記録装置が変わっても同様の電子番組案内で番組コンテンツを視聴者に提示することができる。
【００５０】
また、第２電子コンテンツ案内６０において評価コンテンツ（図４の右下枠の番組アンケート）が選択されると、コンテンツ制御部１４によって、評価コンテンツに含まれる評価取得情報（設問データ、選択肢データ）が読み出されて、評価画面が表示される。
【００５１】
図５は、評価画面の一表示例である。図５に示すように、評価画面７０では、評価取得情報に基づいて設問７１と、選択肢７２が表示される。この評価画面において、リモコン２１の方向ボタンを操作することで、所望の選択肢にカーソルＣＳＲを移動させ、決定ボタンを操作して投票を完了する。このように、評価画面において、入力手段としてのリモコン２１から所定の入力信号が入力されることに基づいて、コンテンツ評価部１９は番組コンテンツに対する評価情報（例えば、設問データと回答）を取得し、取得した評価情報をサーバ型放送送信装置に送信することとなる。
【００５２】
次に、本実施形態のサーバ型放送受信記録装置１において、第１及び第２電子コンテンツ案内を利用して、所望の番組コンテンツを再生させる方法について説明する。
図６は、番組コンテンツ再生処理について示したフローチャートである。
まず、ステップＳ１１で、第１電子コンテンツ案内（図３参照）が表示されているか判定する。ステップＳ１１で、第１電子コンテンツ案内が表示されていないと判定した場合はそのまま処理を終了し、一方、第１電子コンテンツ案内が表示されていると判定した場合はステップＳ１２に移行する。そして、ステップＳ１２で、第１電子コンテンツ案内において、番組コンテンツを選択する操作（例えば、所定の番組リストにカーソルを合わせた状態での決定ボタンの操作）があったか判定する。
【００５３】
次に、ステップＳ１２で番組コンテンツの選択操作が行われたと判定した場合は、選択された番組コンテンツがプロモーションコンテンツであるか判定する（ステップＳ１３）。そして、ステップＳ１３で、選択された番組コンテンツがプロモーションコンテンツでないと判定した場合は、選択された番組コンテンツは通常の放送番組である番組コンテンツとなるため、ステップＳ１７に移行して、コンテンツ制御部１４により当該番組コンテンツの再生処理が行われる。
【００５４】
一方、ステップＳ１３で、選択された番組コンテンツがプロモーションコンテンツであると判定した場合は、表示制御部１７により第２電子コンテンツ案内（図４参照）を生成し、表示する（ステップＳ１４）。この第２電子コンテンツ案内表示処理について、図７を参照して具体的に説明する。
【００５５】
まず、ステップＳ１４１で、紹介する１６の番組コンテンツ（１の評価コンテンツを含む）に対応する番組別プロモーション情報、例えば、各番組コンテンツのダイジェスト映像を区分けされた領域に配置する。次いで、ステップＳ１４２で、各番組コンテンツに対応する評価結果情報があるか判定する。そして、評価結果情報があると判定した場合は、対応する番組のダイジェスト映像に重畳して評価結果を表示し（ステップＳ１４３）、評価結果情報がないと判定した場合はそのまま処理を終了する。図７に示す処理により、第２電子コンテンツ案内が表示される。
【００５６】
次いで、図６のステップＳ１５では、第２電子コンテンツ案内において、番組コンテンツ（プロモーションコンテンツは含まれず、評価コンテンツは含まれる）を選択する操作があったか判定する。そして、ステップＳ１５で番組コンテンツの選択操作が行われたと判定した場合は、ステップＳ１６に移行して、選択されたコンテンツが評価コンテンツであるか判定する。
そして、ステップＳ１６で評価コンテンツでないと判定した場合は、ステップＳ１７に移行し、コンテンツ制御部１４により当該番組コンテンツの再生処理を行う。
【００５７】
一方、ステップＳ１６で評価コンテンツであると判定した場合は、ステップＳ１８に移行し、評価取得情報に基づいて評価画面（図５参照）を表示する。次いで、この評価画面において、リモコン２１による投票操作、すなわち、複数の選択肢の中から一つを選択して決定する操作が行われたか判定し（ステップＳ１９）、操作が行われた場合には、それによって取得される評価情報をサーバ型放送送信装置に送信する（ステップＳ２０）。
【００５８】
このように、視聴者側に設置される複数のサーバ型放送受信記録装置１において、視聴者により番組コンテンツが評価されると、その結果がコンテンツ評価部１９によりサーバ型放送送信装置（番組提供者）に送信され、サーバ型放送送信装置ではこの評価情報を集計して評価結果情報を更新する。つまり、サーバ型放送受信記録装置に送信される評価結果コンテンツに含まれる評価結果情報は常に更新され、最新のものとされる。
【００５９】
上述したように、本実施形態では、サーバ型放送受信記録装置１において、第２電子コンテンツ案内において番組コンテンツを提示する際に、番組提供者側に設置されるサーバ型放送送信装置から提供された評価結果情報を、番組コンテンツのダイジェスト映像に重畳させて表示するようにしたので、視聴者は番組コンテンツを選択するときにこの評価結果情報を参考にすることができる。例えば、視聴者は一般的に人気の高い番組コンテンツを評価情報により容易に知ることができる。
【００６０】
また、評価コンテンツに基づいて表示される評価画面において、視聴者に番組コンテンツの評価をしてもらい、番組提供者側でその結果（評価情報）を集計して評価結果コンテンツを生成し、提供するようにしたので、信頼性の高い客観的な評価結果情報を提供することができる。
【００６１】
以上、本発明者によってなされた発明を実施形態に基づいて具体的に説明したが、本発明は上記実施形態に限定されるものではなく、その要旨を逸脱しない範囲で変更可能である。
例えば、評価画面において、視聴者が実際に視聴した番組コンテンツの選択肢だけを選択可能としてもよい。これにより、視聴せずに評価だけすることはできなくなるので、より正確な評価情報を得ることができる。
【００６２】
また、第１電子コンテンツ案内から評価コンテンツを選択可能に構成してもよいし、番組コンテンツを視聴した直後に自動的に評価コンテンツに基づく評価画面を表示させるようにしてもよい。
【００６３】
また、評価コンテンツに含まれる評価取得情報に基づく評価画面は、図５に示すものに制限されず、複数の設問テーマについて回答させるようにしてもよい。また、上記実施形態では、第２電子コンテンツ案内において、評価結果情報に基づく評価を表示させるようにしているが、第１電子コンテンツ案内に表示するようにしてもよい。
【００６４】
さらに、番組提供者からプロモーションコンテンツを複数種類提供するようにし、サーバ型放送受信記録装置１で複数態様の第２電子コンテンツ案内を表示できるようにしてもよい。
【００６５】
また、サーバ型放送送信装置は、所定時間経過毎にプロモーションコンテンツを送出するようにするのが望ましい。これにより、サーバ型放送受信記録装置には、随時新しいプロモーションコンテンツが蓄積されることになるので、現在の番組コンテンツの蓄積状況に応じたコンテンツ選択画面を生成し、表示させることができる。
【００６６】
さらに、上記実施形態では、第１電子コンテンツ案内５０において所定の操作を行うことで、第２電子コンテンツ案内６０を表示させるようにしているが、リモコンに専用ボタンを設けて、この専用ボタンを操作することで一発で第２電子コンテンツ案内を表示できるようにしてもよい。
【００６７】
また、番組コンテンツが提供される伝送経路は、地上ディジタル放送、ＢＳ放送、ＣＳ放送等の放送電波に限らず、インターネット通信を利用する場合もありうる。
【００６８】
その他、番組コンテンツが保存される記憶媒体の種類、管理する番組情報を記録する媒体や記録方法など、実施の形態で示した具体的な構成は、発明の趣旨を逸脱しない範囲で適宜変更可能である。
【図面の簡単な説明】
【００６９】
【図１】本実施形態のサーバ型受信記録装置の全体構成を示すブロック図である。
【図２】番組コンテンツのデータチャートの一例である。
【図３】第１電子コンテンツ案内の一表示例である。
【図４】第２電子コンテンツ案内の一表示例である。
【図５】評価画面の一表示例である。
【図６】番組コンテンツ再生処理を示すフローチャートである。
【図７】第２電子コンテンツ案内表示処理を示すフローチャートである。
【符号の説明】
【００７０】
１  サーバ型放送受信記録装置
１０  アンテナ
１１  受信部（チューナ）
１２  番組情報分離部
１３  ハードディスク
１４  コンテンツ制御部
１５  デコード部
１６  番組情報管理制御部
１７  表示制御部（電子コンテンツ案内手段）
１８  多重化部
１９  コンテンツ評価部（コンテンツ評価手段）
２０  リモコン信号受信部
２１  リモコン
５０  第１電子コンテンツ案内
６０  第２電子コンテンツ案内
【図１】
2007336120.tif 000003
【図２】
2007336120.tif 000004
【図３】
2007336120.tif 000005
【図４】
2007336120.tif 000006
【図５】
2007336120.tif 000007
【図６】
2007336120.tif 000008
【図７】
2007336120.tif 000009